(57)【特許請求の範囲】
【請求項１】
天井側の上枠と床面側の下枠の、各室に面する各面部、又は、一方の室に面する面部に、縦胴縁の上下の端部が取り付けられると共に、該縦胴縁を下地としてボードが取り付けられた間仕切り壁の構造において、
前記縦胴縁が、前記上下の枠の側に配置される内側縦胴縁部材と、前記ボードの側に配置される外側縦胴縁部材と、これら内外の縦胴縁部材間に介設され、これら縦胴縁部材を連結する遮音用弾性体との複合縦胴縁からなり、
該複合胴縁の外側縦胴縁部材と遮音用弾性体に工具差込み口が設けられ、
該複合縦胴縁の内側縦胴縁部材が室内側から前記工具差込み口を通じて上下の枠の前記面部にビス又は釘で取り付けられていると共に、前記ボードが同じ室内側から外側縦胴縁部材にビス等の取付け部材で取り付けられていることを特徴とする遮音間仕切り壁の構造。
【発明の詳細な説明】
【技術分野】
【０００１】
本発明は、遮音間仕切り壁の構造に関する。
【背景技術】
【０００２】
遮音間仕切り壁の構造として、天井側の上枠と床面側の下枠の、各室に面する各面部に、金属又は木からなる縦胴縁の上下の端部が取り付けられ、各縦胴縁を下地としてボードが取り付けられて、ボードの面外変形を防ぐと共に、遮音性能が向上されるようにしたものは、従来より提供されている。
【特許文献１】特開２００５−１０５６３３号公報
【発明の開示】
【発明が解決しようとする課題】
【０００３】
しかしながら、上記のような遮音間仕切り壁の構造では、一方の室の側の縦胴縁と、もう一方の室の側の縦胴縁とが、天井側の上枠と床面側の下枠とに取り付けられているため、天井側と床面側とがサウンドブリッジとなって、遮音性能が損なわれてしまうという問題がある。
【０００４】
本発明は、上記のような問題点に鑑み、天井側と床面側とのサウンドブリッジをなくして遮音性能を向上することができ、しかも、しっかりとした取付け状態を形成することができる遮音間仕切り壁の構造を提供することを課題とする。
【課題を解決するための手段】
【０００５】
上記の課題は、天井側の上枠と床面側の下枠の、各室に面する各面部、又は、一方の室に面する面部に、縦胴縁の上下の端部が取り付けられると共に、該縦胴縁を下地としてボードが取り付けられた間仕切り壁の構造において、
前記縦胴縁が、前記上下の枠の側に配置される内側縦胴縁部材と、前記ボードの側に配置される外側縦胴縁部材と、これら内外の縦胴縁部材間に介設され、これら縦胴縁部材を連結する遮音用弾性体との複合縦胴縁からなり、
該複合縦胴縁の内側縦胴縁部材が上下の枠の前記面部に取り付けられると共に、前記ボードが外側縦胴縁部材に取り付けられていることを特徴とする遮音間仕切り壁の構造によって解決される。
【０００６】
この構造では、縦胴縁が、内外の耐胴縁部材間に遮音用弾性体を連結状態に介設したものからなって、内側縦胴縁部材が上下の枠の前記面部に取り付けられると共に、ボードが外側縦胴縁部材に取り付けられた構造となっているので、天井側と床面側とがサウンドブリッジになるのを遮音用弾性体が防いで、遮音性能を向上することができる。
【０００７】
しかも、ボードが取り付けられる外側縦胴縁材と、上下の枠に取り付けられる内側縦胴部材とが備えられているので、縦胴縁を上下の枠に対してしっかりと取り付けることができると共に、ボードを縦胴縁に対してしっかりと取り付けることができて、しっかりとした取付け状態を形成することができるし、もちろん、ボードの面外変形も効果的に防ぐことができる。
【発明の効果】
【０００８】
本発明は、以上のとおりのものであるから、天井側と床面側とのサウンドブリッジをなくして遮音性能を向上することができ、しかも、しっかりとした取付け状態を形成することができる。
【発明を実施するための最良の形態】
【０００９】
次に、本発明の実施最良形態を図面に基づいて説明する。
【００１０】
図１に示す第１実施形態の間仕切り壁構造は、界壁や、室間の間仕切り壁に適用されるもので、１は天井、２は床面であり、天井１側には、下向き開放の金属製溝形材からなる水平に上枠３が取り付けられると共に、床面２側には、上向き開放の同じく金属製溝形材からなる水平な下枠４が取り付けられている。なお、本実施形態では、これら上下の枠３，４は、間仕切り下地パネルの上下の枠を構成するものとして、パネル化されたものからなっているが、それに限らない。
【００１１】
そして、これら上下の枠３，４の、各室５，６に面する各面部に、縦胴縁７，７の上下の端部が取り付けられ、各縦胴縁７，７を下地として、ボードとしての石膏ボード８，８が取り付けられて、間仕切り壁を構成している。
【００１２】
上記の各縦胴縁７は、上下の枠３，４の側に配置される金属製の内側縦胴縁部材１０と、石膏ボード８の側に配置される金属製の外側縦胴縁部材９と、これら内外の縦胴縁部材９，１０間に介設され、これら縦胴縁部材９，１０を接着材などで連結する遮音用弾性体としての防振ゴム１１との複合縦胴縁からなっており、複合縦胴縁７の内側縦胴縁部材１０が上下の枠３，４に取り付けられると共に、石膏ボード８が外側縦胴縁部材９にビス等で取り付けられている。
【００１３】
図１（ロ）のＡ部における上枠３への複合縦胴縁７の取付けは、例えば、図２に示すように、外側縦胴縁部材９として偏平角形管材を、内側縦胴縁部材１０としてリップ付き偏平溝形材をそれぞれ用い、外側縦胴縁部材９の前後の壁部と防振ゴム１１と内側縦胴縁部材１０の手前側の壁部とに工具差込み口１２…を形成すると共に、内側縦胴縁部材１０の両リップ１０ａ，１０ａの内面側と係合するピース物の取付け金物１３にビスの下孔１４を明け、前記工具差込み口１２…を通じて金物１３をビス１５で上下の枠３，４に取り付けるというようにして行われたものであってもよい。図１（ロ）のＢ部における下枠４への複合縦胴縁７の取付けについても同様である。
【００１４】
また、図３に示すように、内側縦胴縁部材１０としてリップ付き偏平溝形材に代えて偏平角形管材を用い、該内側縦胴縁部材１０の手前側の壁部には工具差込み口１２を形成すると共に、奥側の壁部にはビスの下孔１４を明け、工具差込み口１２…を通じて内側縦胴縁部材１０をビス１５で上下の枠３，４に取り付けるというようにして行われたものであってもよい。
【００１５】
上記の構造において、石膏ボード８を複合縦胴縁７の外側縦胴縁部材９に取り付けているビスが内側縦胴縁部材１０に対して非接触状態にあり、また、複合縦胴縁７の内側縦胴縁部材１０を上下の枠３，４に取り付けているビス１５も外側縦胴縁部材９に対して非接触状態にあることはいうまでもない。
【００１６】
なお、１６，１７は水平な上下の中枠で、上下一方の中枠１６と一方の側の縦胴縁７の内側縦胴縁部材１０との間には防振ゴム１９が接着剤等によって連結状態に介設されると共に、該中枠１６ともう一方の側の縦胴縁７の内側縦胴縁部材１０とは離間状態にされて縁を切られ、
また、上下もう一方の中枠１７と前記もう一方の側の縦胴縁７の内側縦胴縁部材１０との間には防振ゴム１９が接着剤等によって連結状態に介設されると共に、該中枠１７と前記一方の側の縦胴縁７の内側縦胴縁部材１０とは離間状態にされて縁を切られ、
それにより、各室５，６に面して取り付けられた両石膏ボード８，８が面外変形をするのを防止すると共に、遮音性が確保されるようになされている。
【００１７】
なお、中枠１６，１７に対しては、防振ゴム１９によることなく、天井側や床面側と同様に、複合縦胴縁７の内側縦胴縁部材１０を、金物とビス、あるいは、ビスを用いて中枠１６，１７に取り付け、複合縦胴縁７の内外の縦胴縁部材９，１０間の防振ゴム１１によってサウンドブリッジとなるのを防止するようになされていてもよい。
【００１８】
上記の構造では、縦胴縁７が、内外の縦胴縁部材９，１０間に遮音用の防振ゴム１１を連結状態に介設したものからなって、内側縦胴縁部材１０が上下の枠３，４にビス１５で取り付けられると共に、石膏ボード８が外側縦胴縁部材９にビス１５で取り付けられた構造となっているので、天井１側と床面２側とがサウンドブリッジになるのを防振ゴム１１が防いで、遮音性能を向上することができる。
【００１９】
しかも、石膏ボード８が取り付けられる外側縦胴縁部材９と、上下の枠３，４に取り付けられる内側縦胴縁部材１０とが備えられているので、縦胴縁７を上下の枠３，４に対してしっかりと取り付けることができると共に、石膏ボード８を縦胴縁７に対してしっかりと取り付けることができて、しっかりとした取付け状態を形成することができるし、もちろん、石膏ボード８の面外変形も効果的に防ぐことができる。
【００２０】
図４に示す第２実施形態の遮音間仕切り壁の構造は、上下の枠３，４、中枠１８をはじめ、複合縦胴縁７を構成する内側縦胴縁部材１０、外側縦胴縁部材９が、いずれも木からなっている場合のもので、その他は第１実施形態と同様の構造である。なお、ビス１５に代えて釘が用いられてもよい。なお、中枠１８に対しても、上下の枠３，４におけるのと同様の、ビス１５あるいは釘による取付け構造が採用されており、複合縦胴縁７の内外の縦胴縁部材９，１０間の防振ゴム１１によってサウンドブリッジとなるのが防止されるようになされている。
【００２１】
以上に、本発明の実施形態を示したが、本発明はこれに限られるものではなく、発明思想を逸脱しない範囲で各種の変更が可能である。例えば、上記の実施形態では、遮音用弾性体として、防振ゴム１１を用いた場合を示しているが、その他の弾性制振材や、バネなどが用いられてもよい。
【００２２】
また、上記の実施形態では、一方の室に面する側ともう一方の室に面する側との両方の縦胴縁について複合縦胴縁を用いた場合を示したが、いずれか一方の縦胴縁のみについて上記のような複合縦胴縁を用いるようにしてもよい。
【図面の簡単な説明】
【００２３】
【図１】第１実施形態を示すもので、図（イ）は遮音間仕切り壁の断面側面図、図（ロ）は複合縦胴縁の取付け前の状態を示す断面側面図、図（ハ）は複合縦胴縁の断面側面図、図（ニ）は複合縦胴縁の分解断面側面図である。
【図２】図（イ）及び図（ロ）は複合縦胴縁の取付け構造及び取付け方法の一例を示す図１（ロ）Ａ部の断面平面図、図（ハ）は同複合縦胴縁の取付けのための構造を示す分解斜視図である。
【図３】図（イ）及び図（ロ）は複合縦胴縁の取付け構造及び取付け方法の他の例を示す図１（ロ）Ａ部の断面平面図、図（ハ）は同複合縦胴縁の取付けのための構造を示す分解斜視図である。
【図４】第２実施形態を示すもので、図（イ）は一方の複合縦胴縁が取付け前である状態の遮音間仕切り壁の断面側面図、図（ロ）及び図（ハ）は同複合縦胴縁の取付け構造及び取付け方法の一例を示す図（イ）Ｃ部の断面平面図である。
【符号の説明】
【００２４】
３…上枠
４…下枠
５…一方の室
５…もう一方の室
７…複合縦胴縁
８…石膏ボード（ボード）
９…外側縦胴縁部材
１０…内側縦胴縁部材
１１…防振ゴム（遮音用弾性体）
【図１】
0005274811.tif 000002
【図２】
0005274811.tif 000003
【図３】
0005274811.tif 000004
【図４】
0005274811.tif 000005